(57)【要約】【課題】使用者が注目している領域に応じて視認性の高い画像表示が可能な画像表示装置を提供すること。【解決手段】画像表示装置は、画像を表示する表示部と、使用者の顔画像を取得する顔画像取得部と、顔画像取得部が取得した顔画像に基づいて、使用者の視点を検出する視点検出部と、表示部に表示する画像の高画質化処理を行う高画質化処理部と、視点検出部によって検出された使用者の視点が表示部の画面内にあるとき、視点の箇所を含む限られた範囲の画像に対してのみ高画質化処理を行うよう高画質化処理部を制御する制御部とを備える。【選択図】図１
2010211017.tif 000002
【特許請求の範囲】
【請求項１】
画像を表示する表示部と、
使用者の顔画像を取得する顔画像取得部と、
前記顔画像取得部が取得した顔画像に基づいて、前記使用者の視点を検出する視点検出部と、
前記表示部に表示する画像の高画質化処理を行う高画質化処理部と、
前記視点検出部によって検出された前記使用者の視点が前記表示部の画面内にあるとき、前記視点の箇所を含む限られた範囲の画像に対してのみ前記高画質化処理を行うよう前記高画質化処理部を制御する制御部と、
を備えたことを特徴とする画像表示装置。
【請求項２】
前記制御部は、前記使用者の視点が前記表示部の画面内にないときには、前記高画質化処理を全く行わないように前記高画質化処理部を制御することを特徴とする請求項１に記載の画像表示装置。
【請求項３】
無線通信網を介して符号化画像データを取得する無線通信部と、
前記符号化画像データを復号する画像データ復号部と、を備え、
前記表示部は、前記画像データ復号部が復号して得られた画像データの画像を表示することを特徴とする請求項１又は２に記載の画像表示装置。
【請求項４】
テレビ放送電波を受信する放送受信部と、
前記放送受信部が受信したテレビ放送電波を符号化画像データに復調するデータ復調部と、
前記符号化画像データを復号する画像データ復号部と、を備え、
前記表示部は、前記画像データ復号部が復号して得られた画像データの画像を表示することを特徴とする請求項１又は２に記載の画像表示装置。
【請求項５】
外部装置から符号化画像データを取得するデータ取得部と、
前記データ取得部が取得した符号化画像データを記憶するデータ記憶部と、
前記データ記憶部が記憶する符号化画像データを復号する画像データ復号部と、を備え、
前記表示部は、前記画像データ復号部が復号して得られた画像データの画像を表示することを特徴とする請求項１又は２に記載の画像表示装置。
【請求項６】
画像を生成する画像生成部を備え、
前記表示部は、前記画像生成部が生成した画像を表示することを特徴とする請求項１又は２に記載の画像表示装置。
【請求項７】
使用者の顔画像を取得する顔画像取得ステップと、
前記顔画像取得ステップで取得された顔画像に基づいて、前記使用者の視点を検出する視点検出ステップと、
前記視点検出ステップで検出された前記使用者の視点が表示部の画面内にあるか否かを判定する判定ステップと、
前記判定ステップで、前記使用者の視点が前記表示部の画面内にあると判定された場合、前記視点の箇所を含む限られた範囲の画像に対してのみ高画質化処理を行う高画質化処理ステップと、
前記表示部に画像を表示する表示ステップと、
を有することを特徴とする画像表示方法。
【請求項８】
前記判定ステップで、前記使用者の視点が前記表示部の画面内にないと判定された場合、前記高画質化処理ステップが全く行われないことを特徴とする請求項７に記載の画像表示方法。
【請求項９】
使用者の顔画像を取得する顔画像取得ステップと、
前記顔画像取得ステップで取得された顔画像に基づいて、前記使用者の視点を検出する視点検出ステップと、
前記視点検出ステップで検出された前記使用者の視点が表示部の画面内にあるか否かを判定する判定ステップと、
前記判定ステップで、前記使用者の視点が前記表示部の画面内にあると判定された場合、前記視点の箇所を含む限られた範囲の画像に対してのみ高画質化処理を行う高画質化処理ステップと、
前記表示部に画像を表示する表示ステップと、
をコンピュータに実行させるための画像表示プログラム。
【請求項１０】
前記判定ステップで、前記使用者の視点が前記表示部の画面内にないと判定された場合、前記高画質化処理ステップが全く行われないことを特徴とする請求項９に記載の画像表示プログラム。
【発明の詳細な説明】
【技術分野】
【０００１】
本発明は、使用者の視点に応じた画質調整を行って画像の視認性を向上させる画像表示装置、画像表示方法及び画像表示プログラムに関する。
【背景技術】
【０００２】
特許文献１〜３には、使用者の視線又は視点に応じて表示装置を制御する技術が開示されている。特許文献１には、使用者の視線が向けられているときだけ表示装置に電力を供給することにより省電力化可能な携帯端末が開示されている。特許文献２には、使用者の視点部分のみバックライトを点灯することにより省電力化可能な表示装置が開示されている。特許文献３には、映像送信側の表示装置の使用者が注視している領域の画像を他の範囲よりも低圧縮率で送信することにより、映像受信側の表示装置に当該領域の画像を他の領域よりも高画質で表示するテレビ会議システムが開示されている。
【０００３】
【特許文献１】特開２００３−１７４５０５号公報
【特許文献２】特開２００８−２０９６１０号公報
【特許文献３】特開２００６−０５４８３０号公報
【発明の開示】
【発明が解決しようとする課題】
【０００４】
しかし、特許文献１に開示された携帯端末では、使用者が表示装置の画面を見ていないとき、すなわち使用者の視点が表示装置の画面内にないときでも、使用者の視線が少しでも表示装置に向けられていれば表示装置への電源供給が行われる。このため、省電力化の効果は限定的である。
【０００５】
また、特許文献２に開示された表示装置によれば、バックライトの点灯に要する電力を削減することはできる。しかし、使用者が注目している領域の画像を高画質化して視認性を向上させることはできない。
【０００６】
また、特許文献３に開示されたテレビ会議システムは、テレビ会議の映像送信側の表示装置の使用者の視点に応じて映像受信側の表示装置に表示される画像の画質を調整する。このため、映像受信側の表示装置の使用者が注目している領域の画質は調整されない。
【０００７】
本発明の目的は、使用者が注目している領域に応じて、当該使用者にとって視認性の高い画像を表示可能な画像表示装置、画像表示方法及び画像表示プログラムを提供することである。
【課題を解決するための手段】
【０００８】
本発明は、画像を表示する表示部と、使用者の顔画像を取得する顔画像取得部と、前記顔画像取得部が取得した顔画像に基づいて、前記使用者の視点を検出する視点検出部と、前記表示部に表示する画像の高画質化処理を行う高画質化処理部と、前記視点検出部によって検出された前記使用者の視点が前記表示部の画面内にあるとき、前記視点の箇所を含む限られた範囲の画像に対してのみ前記高画質化処理を行うよう前記高画質化処理部を制御する制御部と、を備えた画像表示装置を提供する。
【０００９】
上記画像表示装置では、前記制御部は、前記使用者の視点が前記表示部の画面内にないときには、前記高画質化処理を全く行わないように前記高画質化処理部を制御する。
【００１０】
上記画像表示装置は、無線通信網を介して符号化画像データを取得する無線通信部と、前記符号化画像データを復号する画像データ復号部と、を備え、前記表示部は、前記画像データ復号部が復号して得られた画像データの画像を表示する。
【００１１】
上記画像表示装置は、テレビ放送電波を受信する放送受信部と、前記放送受信部が受信したテレビ放送電波を符号化画像データに復調するデータ復調部と、前記符号化画像データを復号する画像データ復号部と、を備え、前記表示部は、前記画像データ復号部が復号して得られた画像データの画像を表示する。
【００１２】
上記画像表示装置は、外部装置から符号化画像データを取得するデータ取得部と、前記データ取得部が取得した符号化画像データを記憶するデータ記憶部と、前記データ記憶部が記憶する符号化画像データを復号する画像データ復号部と、を備え、前記表示部は、前記画像データ復号部が復号して得られた画像データの画像を表示する。
【００１３】
上記画像表示装置は、画像を生成する画像生成部を備え、前記表示部は、前記画像生成部が生成した画像を表示する。
【００１４】
本発明は、使用者の顔画像を取得する顔画像取得ステップと、前記顔画像取得ステップで取得された顔画像に基づいて、前記使用者の視点を検出する視点検出ステップと、前記視点検出ステップで検出された前記使用者の視点が表示部の画面内にあるか否かを判定する判定ステップと、前記判定ステップで、前記使用者の視点が前記表示部の画面内にあると判定された場合、前記視点の箇所を含む限られた範囲の画像に対してのみ高画質化処理を行う高画質化処理ステップと、前記表示部に画像を表示する表示ステップと、を有する画像表示方法を提供する。
【００１５】
上記画像表示方法では、前記判定ステップで、前記使用者の視点が前記表示部の画面内にないと判定された場合、前記高画質化処理ステップが全く行われない。
【００１６】
本発明は、使用者の顔画像を取得する顔画像取得ステップと、前記顔画像取得ステップで取得された顔画像に基づいて、前記使用者の視点を検出する視点検出ステップと、前記視点検出ステップで検出された前記使用者の視点が表示部の画面内にあるか否かを判定する判定ステップと、前記判定ステップで、前記使用者の視点が前記表示部の画面内にあると判定された場合、前記視点の箇所を含む限られた範囲の画像に対してのみ高画質化処理を行う高画質化処理ステップと、前記表示部に画像を表示する表示ステップと、をコンピュータに実行させるための画像表示プログラムを提供する。
【００１７】
上記画像表示プログラムでは、前記判定ステップで、前記使用者の視点が前記表示部の画面内にないと判定された場合、前記高画質化処理ステップが全く行われない。
【発明の効果】
【００１８】
本発明に係る画像表示装置、画像表示方法及び画像表示プログラムによれば、使用者が注目している領域に応じて、当該使用者にとって視認性の高い画像を表示できる。
【発明を実施するための最良の形態】
【００１９】
以下、本発明の実施形態について、図面を参照して説明する。
【００２０】
（第１の実施形態）
図１は、第１の実施形態の画像表示装置を示すブロック図である。図１に示すように、第１の実施形態の画像表示装置は、顔画像取得部１０１と、視点検出部１０２と、画像データ復号部１０３と、高画質化処理部１０４と、制御部１０５と、表示部１０６とを備える。
【００２１】
顔画像取得部１０１は、使用者の顔を撮影して、その顔画像を取得する。視点検出部１０２は、顔画像取得部１０１が取得した使用者の顔画像に基づいて、使用者の視点を検出する。画像データ復号部１０３は、符号化された画像データを復号する。高画質化処理部１０４は、画像データ復号部１０３が復号して得られた画像データの高画質化処理を行う。表示部１０６は、画像データ復号部１０３が復号して得られた画像データ及び／又は高画質化処理部１０４が高画質化処理を行って得られた画像データの画像を表示する。
【００２２】
制御部１０５は、視点検出部１０２によって検出された使用者の視点が表示部１０６の画面内にない場合には、高画質化処理を行わないよう高画質化処理部１０４を制御する。また、制御部１０５は、視点検出部１０２によって検出された使用者の視点が表示部１０６の画面内にある場合には、その視点を含む限られた範囲（高画質化処理範囲）の画像データに対して高画質化処理を行うよう高画質化処理部１０４を制御する（図２参照）。
【００２３】
図３は、第１の実施形態の画像表示装置の動作を示すフローチャートである。図３に示すように、画像データ復号部１０３は、画像データの復号処理を行う（ステップＳ１０１）。次に、顔画像取得部１０１が、使用者の顔画像を取得する（ステップＳ１０２）。次に、視点検出部１０２が、使用者の視点を検出する（ステップＳ１０３）。
【００２４】
次に、制御部１０５は、ステップＳ１０３で視点検出部１０２が検出した視点が表示部１０６の画面内にあるか否かを判定し（ステップＳ１０４）、視点が表示部１０６の画面内にある場合にはステップＳ１０５に進み、視点が表示部１０６の画面内にない場合にはステップＳ１０６に進む。ステップＳ１０５では、高画質化処理部１０４は、制御部１０５からの情報に基づき、視点を中心とする限られた範囲の復号画像の画像データに対して高画質化処理を行う。一方、ステップＳ１０６では、表示部１０６は、画像を表示する。なお、ステップＳ１０５の高画質化処理が行われた場合、表示部１０６には、使用者の視点を含む限られた範囲に対してのみ高画質化処理が施された画像が表示される。
【００２５】
第１の実施形態によれば、使用者の視点が表示部１０６の画面内にあるときに、使用者の視点の箇所を含む限定された範囲に対してのみ高画質化処理が行われるため、表示部１０６に表示される画像において、その使用者が注目している画像領域の画質は、他の画像領域の画質よりも高い。このように、画面中の使用者が視認している部分を高画質化するため、使用者にとって視認性の高い画像表示が可能である。また、画面中の限定された範囲に対してのみ高画質化処理を行うため、画面全体に高画質化処理を行う場合に比べ、画像表示のために消費される電力を削減できる。さらに、使用者の視点が表示部１０６の画面内にないとき、すなわち使用者が表示部１０６の画面を見ていないときには、高画質化処理が全く行われないため、画像表示のために消費される電力をより効果的に削減できる。
【００２６】
（第２の実施形態）
図４は、第２の実施形態の画像表示装置を示すブロック図である。図４に示すように、第２の実施形態の画像表示装置は、第１の実施形態の画像表示装置が備える構成要素に加え、無線通信部３０１をさらに備える。無線通信部３０１は、携帯電話網やＰＨＳ（Persona handy-phone system）網等の無線通信網を介してデータを送受信する。なお、無線通信網は、無線通信事業者のサーバに接続されていると共に、インターネット等の外部ネットワークを介して外部サーバに接続されている。無線通信部３０１は、無線通信網を介して、外部サーバに格納されている符号化画像データを取得する。
【００２７】
図５は、第２の実施形態の画像表示装置の動作を示すフローチャートである。図５に示すように、無線通信部３０１は、符号化画像データを取得する（ステップＳ４０１）。無線通信部３０１によって取得された符号化画像データは画像データ復号部１０３に入力され、以降、第１の実施形態の図３に示したステップＳ１０１〜Ｓ１０６が行われる。
【００２８】
第２の実施形態によれば、画像データ復号部１０３が復号処理する符号化画像データを無線通信部３０１が取得することができる。
【００２９】
（第３の実施形態）
図６は、第３の実施形態の画像表示装置を示すブロック図である。図６に示すように、第３の実施形態の画像表示装置は、第１の実施形態の画像表示装置が備える構成要素に加え、放送受信部５０１及びデータ復調部５０２を備える。
【００３０】
放送受信部５０１は、テレビ放送電波を受信する。データ復調部５０２は、放送受信部５０１が受信したテレビ放送電波を符号化画像データに復調する。なお、テレビ放送事業者は、作成した映像番組の映像データを符号し、符号化映像データをテレビ放送電波に変調してテレビ電波塔から放送している。
【００３１】
図７は、第３の実施形態の画像表示装置の動作を示すフローチャートである。図７に示すように、放送受信部５０１は、テレビ放送電波を受信する（ステップＳ６０１）。次に、データ復調部５０２は、放送受信部５０１が受信したテレビ放送電波を符号化画像データに復調する（ステップＳ６０２）。データ復調部５０２で得られた画像データは画像データ復号部１０３に入力され、以降、第１の実施形態の図３に示したステップＳ１０１〜Ｓ１０６が行われる。
【００３２】
第３の実施形態によれば、放送受信部５０１が受信したテレビ放送電波をデータ復調部５０２が復調することによって、画像データ復号部１０３が復号処理する符号化画像データを取得することができる。
【００３３】
（第４の実施形態）
図８は、第４の実施形態の画像表示装置を示すブロック図である。図８に示すように、第４の実施形態の画像表示装置は、第１の実施形態の画像表示装置が備える構成要素に加え、データ取得部７０１及びデータ記憶部７０２を備える。
【００３４】
データ取得部７０１は、有線通信又は無線通信によって外部装置から符号化画像データを取得する。なお、データ取得部７０１は、復調の機能を有しても良い。データ取得部７０１は、例えば、携帯電話やＰＨＳ等の移動通信手段、赤外線等の近距離無線通信手段、放送電波の受信及び復調を行う手段、ＵＳＢ等の標準端子、標準化されていない専用の端子である。
【００３５】
データ記憶部７０２は、符号化画像データを蓄積する。データ記憶部７０２は、例えば、光ディスクや、磁気ディスク、半導体記録素子である。
【００３６】
図９は、第４の実施形態の画像表示装置の動作を示すフローチャートである。図９に示すように、データ取得部７０１は、外部装置からデータを収録し、データ記憶部７０２に格納する。データ記憶部７０２に格納されたデータは画像データ復号部１０３に入力され、以降、第１の実施形態の図３に示したステップＳ１０１〜Ｓ１０６が行われる。
【００３７】
第４の実施形態によれば、画像データ復号部１０３が復号処理する符号化画像データをデータ取得部７０１が取得して、データ記憶部７０２に格納することができる。
【００３８】
（第５の実施形態）
図１０は、第５の実施形態の画像表示装置を示すブロック図である。図１０に示すように、第５の実施形態の画像表示装置は、第１の実施形態の構成において、画像データ復号部１０３の代わりに画像生成部９０１が設けられている。画像生成部９０１は、制御部１０５からの命令に応じて、２Ｄ又は３Ｄのコンピュータグラフィックス画像等の表示画像を生成する。なお、制御部１０５からの命令は、色や明るさの情報、立体の頂点、曲線及び曲面の制御点といった、所望の表示画像を得るための情報を含む。
【００３９】
図１１は、第５の実施形態の画像表示装置の動作を示すフローチャートである。図１１に示すように、制御部１０５は、画像生成部９０１に画像生成命令を入力する（ステップＳ１００１）。次に、画像生成部９０１は、制御部１０５から入力された画像生成命令に応じて表示画像を生成する（ステップＳ１００２）。以降、第１の実施形態の図３に示したステップＳ１０２〜Ｓ１０６が行われる。
【００４０】
第５の実施形態によれば、画像生成部９０１が画像を生成することができる。
【産業上の利用可能性】
【００４１】
本発明に係る画像表示装置は、携帯端末、ビデオ再生機器、ゲーム機、ナビゲーションシステム等のコンピュータグラフィックス表示機器といった画像表示装置等として有用である。
【図面の簡単な説明】
【００４２】
【図１】第１の実施形態の画像表示装置を示すブロック図
【図２】画像表示装置とその表示部の画面を示す説明図
【図３】第１の実施形態の画像表示装置の動作を示すフローチャート
【図４】第２の実施形態の画像表示装置を示すブロック図
【図５】第２の実施形態の画像表示装置の動作を示すフローチャート
【図６】第３の実施形態の画像表示装置を示すブロック図
【図７】第３の実施形態の画像表示装置の動作を示すフローチャート
【図８】第４の実施形態の画像表示装置を示すブロック図
【図９】第４の実施形態の画像表示装置の動作を示すフローチャート
【図１０】第５の実施形態の画像表示装置を示すブロック図
【図１１】第５の実施形態の画像表示装置の動作を示すフローチャート
【符号の説明】
【００４３】
１０１  顔画像取得部
１０２  視点検出部
１０３  画像データ復号部
１０４  高画質化処理部
１０５  制御部
３０１  無線通信部
５０１  放送受信部
５０２  データ復調部
７０１  データ取得部
７０２  データ記憶部
９０１  画像生成部
【図１】
2010211017.tif 000003
【図２】
2010211017.tif 000004
【図３】
2010211017.tif 000005
【図４】
2010211017.tif 000006
【図５】
2010211017.tif 000007
【図６】
2010211017.tif 000008
【図７】
2010211017.tif 000009
【図８】
2010211017.tif 000010
【図９】
2010211017.tif 000011
【図１０】
2010211017.tif 000012
【図１１】
2010211017.tif 000013